(57)【要約】【課題】簡単に大量の魚類を捕獲可能な魚類捕獲装置を提供する。【解決手段】開口１１が１〜５ｍｍとなって、周囲には重り材１２及び掛止部１３を備え、中央部には捕獲魚取り出し口１４を有する大型網材１５と、掛止部１３にその下端部が連結される第１の引上げ綱部材１６と、大型網材１５内に配置され水中に沈んで魚類の住処を形成する住処形成部材１７と、住処形成部材１７を纏めて引き上げる第２の引上げ綱部材１８とを有し、しかも、大型網材１５及び住処形成部材１７を引き上げた場合、住処形成部材１７は袋状となった大型網材１５内に配置されて、更に住処形成部材１７の下部と大型網材１５の下部との間には隙間が形成されている。【選択図】図１
0003121845.tif 000002
【実用新案登録請求の範囲】
【請求項１】
開口が１〜５ｍｍとなって、周囲には重り材及び掛止部を備え、中央部には捕獲魚取り出し口を有する大型網材と、
前記掛止部にその下端部が連結される第１の引上げ綱部材と、
前記大型網材内に配置され水中に沈んで魚類の住処を形成する住処形成部材と、
前記住処形成部材を纏めて引き上げる第２の引上げ綱部材とを有し、
しかも、前記大型網材及び前記住処形成部材を引き上げた場合、前記住処形成部材は袋状となった前記大型網材内に配置されて、更に前記住処形成部材の下部と前記大型網材の下部との間には隙間が形成されていることを特徴とする魚類捕獲装置。
【請求項２】
請求項１記載の魚類捕獲装置において、前記住処形成部材は、鎖、ロープ、ワイヤ、チェーン及び線材のいずれか１を用いて連結された複数の石材又は石状物であることを特徴とする魚類捕獲装置。
【請求項３】
請求項１及び２記載の魚類捕獲装置において、前記住処形成部材は、捕獲された前記魚類が通過する目の粗い網材中に配置されていることを特徴とする魚類捕獲装置。
【請求項４】
請求項１〜３のいずれか１項に記載の魚類捕獲装置において、前記住処形成部材には、前記魚類を集めるための餌箱が設けられていることを特徴とする魚類捕獲装置。
【請求項５】
請求項１〜４のいずれか１項に記載の魚類捕獲装置において、前記第１の引上げ綱部材と、前記第２の引上げ綱部材とは連結されていることを特徴とする魚類捕獲装置。
【請求項６】
請求項１〜５のいずれか１項に記載の魚類捕獲装置において、前記大型網材の周囲にはロープを介してフロートが設けられていることを特徴とする魚類捕獲装置。
【請求項７】
請求項１〜６のいずれか１項に記載の魚類捕獲装置において、前記魚類はウナギであることを特徴とする魚類捕獲装置。
【考案の詳細な説明】
【技術分野】
【０００１】
本考案は、魚類、特には、うなぎを簡単に捕獲する魚類捕獲装置に関する。
【背景技術】
【０００２】
従来、魚類の捕獲には、漁網、釣り具等が使用されている。例えば、特許文献１には、魚類の出入りは阻止するが、水の出入りを許容する捕獲体（網材）を設けた漁具が開示されている。この捕獲体は、上部が開放され、下部に重りを備え、上部周囲には、捕獲体を引き上げ引き下げる複数の紐体（引き上げ綱部材）が設けられ、各紐体の上部は連結されている。また、特許文献２には、ウナギを捕獲するために、海底、湖底、川底等に仕掛ける曲線状の筒（いわゆる、鰻筒）が開示されている。
【０００３】
【特許文献１】特開２００２−３２５５２３号公報
【特許文献２】特開２００３−２３９２１号公報
【考案の開示】
【考案が解決しようとする課題】
【０００４】
しかしながら、特許文献１記載の考案では、捕獲体を引き上げる際に上から魚類が逃げる虞があるという問題があった。また、特許文献２の考案では、筒を曲線状に形成しているため、ウナギが逃げ難くなっているが、通常、１つの鰻筒には１匹のウナギが潜入するので、大量のウナギを捕獲するためには、多数の鰻筒が必要であるという問題があった。
【０００５】
本考案はかかる事情に鑑みてなされたもので、簡単に大量の魚類を捕獲可能な魚類捕獲装置を提供することを目的とする。
【課題を解決するための手段】
【０００６】
前記目的に沿う本考案に係る魚類捕獲装置は、開口が１〜５ｍｍとなって、周囲には重り材及び掛止部を備え、中央部には捕獲魚取り出し口を有する大型網材と、
前記掛止部にその下端部が連結される第１の引上げ綱部材と、
前記大型網材内に配置され水中に沈んで魚類の住処を形成する住処形成部材と、
前記住処形成部材を纏めて引き上げる第２の引上げ綱部材とを有し、
しかも、前記大型網材及び前記住処形成部材を引き上げた場合、前記住処形成部材は袋状となった前記大型網材内に配置されて、更に前記住処形成部材の下部と前記大型網材の下部との間には隙間が形成されている。
ここで、大型網材は円形又は多角形となって、直径、対角線、又は最大長が、例えば、３〜２５ｍ、好ましくは、５〜１５ｍである。
【０００７】
本考案に係る魚類捕獲装置において、前記住処形成部材は、鎖、ロープ、ワイヤ、チェーン及び線材のいずれか１を用いて連結された複数の石材又は石状物であってもよい。
ここで、石材又は石状物は、最大幅が２５〜４０ｃｍ程度であって、沈むものであれば発泡体で形成してもよい。また、鎖、ロープ、ワイヤ、チェーン、又は線材は、石材又は石状物に設けた貫通孔、あるいは、石材又は石状物に取付けた環状体に通して使用することができる。
本考案に係る魚類捕獲装置において、前記住処形成部材は、捕獲された前記魚類が通過する目の粗い網材中に配置されてもよい。
ここで、住処形成部材は、連結されているのがよい。なお、目の粗い網材の開口は、住処形成部材が通過しない大きさに形成されている。
【０００８】
本考案に係る魚類捕獲装置において、前記住処形成部材には、前記魚類を集めるための餌箱が設けられているのが好ましい。
本考案に係る魚類捕獲装置において、前記第１の引上げ綱部材と、前記第２の引上げ綱部材とは連結されてもよい。
本考案に係る魚類捕獲装置において、前記大型網材の周囲にはロープを介してフロートが設けられてもよい。
本考案に係る魚類捕獲装置において、前記魚類はウナギであるのが好ましい。
【考案の効果】
【０００９】
請求項１〜７に記載の魚類捕獲装置においては、大型網材は開口が１〜５ｍｍとなって、中央部に捕獲魚取り出し口を有するので、大型網材を引き上げる際に、魚類が大型網材の開口を通過することなく、捕獲魚取り出し口に誘導して取り出すことができる。また、大型網材の周囲には重り材を備えているので、大型網材を水底に沿って配置することができる。更に、大型網材内に水中に沈んで魚類の住処を形成する住処形成部材が配置されているので、住処形成部材内に魚類を導くことができると共に、外側の大型網材を引き上げた際に住処形成部材内に魚類が逃げ込んで大型網材から魚類が逃げ難くなる。また、住処形成部材を纏めて引き上げる第２の引上げ綱部材を有しているので、大型網材に負荷をかけ難い。更に、大型網材及び住処形成部材を引き上げた場合、住処形成部材は袋状となった大型網材内に配置されて、更に住処形成部材の下部と大型網材の下部との間には隙間が形成されるので、魚類を捕獲魚取り出し口に誘導し易くなる。
【００１０】
特に、請求項２記載の魚類捕獲装置においては、住処形成部材が鎖、ロープ、ワイヤ、チェーン及び線材のいずれか１を用いて連結されているので、住処形成部材を纏めて引き上げやすくなる。また、住処形成部材が複数の石材又は石状物であるので、その間に魚類が潜り込み留まり易い。
請求項３記載の魚類捕獲装置においては、住処形成部材が捕獲された魚類が通過する目の粗い網材中に配置されているので、引き上げ時に大型網材に負荷をかけ難くなる。
【００１１】
請求項４記載の魚類捕獲装置においては、住処形成部材に、魚類を集めるための餌箱が設けられているので、大量の魚類をおびき寄せ易い。
請求項５記載の魚類捕獲装置においては、第１の引上げ綱部材と、第２の引上げ綱部材とが連結されているので、引き上げ操作がし易くなる。
請求項６記載の魚類捕獲装置においては、大型網材の周囲にはロープを介してフロートが設けられているので、大型網材の位置を確認し易い。
【考案を実施するための最良の形態】
【００１２】
続いて、添付した図面を参照しつつ、本考案を具体化した実施の形態につき説明し、本考案の理解に供する。
ここで、図１は本考案の第１の実施の形態に係る魚類捕獲装置の平面図、図２は同魚類捕獲装置の側面図、図３は同魚類捕獲装置の大型網材の説明図、図４は同魚類捕獲装置の住処形成部材の説明図、図５（Ａ）は同魚類捕獲装置の餌箱の説明図、（Ｂ）、（Ｃ）はそれぞれ変形例に係る餌箱の側面図、平断面図、図６は同魚類捕獲装置の引き上げ方法の説明図、図７は同魚類捕獲装置の別の引き上げ方法の説明図、図８は本考案の第２の実施の形態に係る魚類捕獲装置の平面図、図９は同魚類捕獲装置の側面図、図１０は同魚類捕獲装置の引き上げ時の側面図、図１１は本考案の第３の実施の形態に係る魚類捕獲装置の平面図、図１２は同魚類捕獲装置の側面図、図１３は同魚類捕獲装置の引き上げ時の説明図である。
【００１３】
図１〜図６を参照して、本考案の第１の実施の形態に係る魚類捕獲装置１０について説明する。
図１及び図２に示すように、魚類捕獲装置１０は、開口１１が１〜５ｍｍ（本実施の形態では、２ｍｍ）となって、周縁部１９には複数、例えば、８つの重り材１２及び掛止部１３を備え、中央部には捕獲魚取り出し口１４が設けられた円形の大型網材１５と、各掛止部１３にその下端部が連結される第１の引上げ綱部材１６と、大型網材１５内に配置され、水中に沈んで魚類（例えば、ウナギ）Ａの住処を形成する住処形成部材１７と、住処形成部材１７を纏めて引き上げる第２の引上げ綱部材１８とを有している。以下、それぞれについて詳しく説明する。
【００１４】
図３に示すように、大型網材１５は、直径は３〜２５ｍ、好ましくは５〜１５ｍ（本実施の形態では、５ｍ）である。大型網材１５の周縁部１９は、図示しない鋼線で補強されている。また、大型網材１５の内側部２０には、例えば、ナイロン製の繊維を縦方向及び横方向に配置して、実質的に２ｍｍ×２ｍｍの正方形の開口１１が形成されている。この開口１１は、捕獲する魚類Ａよりも小さいので、捕獲時に魚類Ａが大型網材１５から逃げることがない。
【００１５】
また、大型網材１５の周縁部１９に所定の間隔を有して設けられる掛止部１３は、例えば、周縁部１９に取付けられる第１のリング状部材２１と、第１のリング状部材２１に取付けられ、第１の引上げ綱部材１６の下端が取付けられる第２のリング状部材２２とによって形成されている。第１の引上げ綱部材１６は、例えば、ステンレスの線材で形成されている。掛止部１３の近傍の周縁部１９には、例えば、鉛で形成された重り材１２が取付けられ、大型網材１５が浮くのを防止している。
【００１６】
更に、大型網材１５の内側部２０の中央部分には、例えば、円形で直径が１０〜５０ｃｍの捕獲魚取り出し口１４が形成され、捕獲魚取り出し口１４の下部には、例えば、長さが、３０〜１００ｃｍの筒状の網材で形成され、その下端部が開閉可能な袋体２３が設けられている。袋体２３は、大型網材１５を水中に配置している際に先端を、例えば、クリップ２３ａ等で閉塞し、大型網材１５を引き上げた際にクリップ２３ａを取り外して開き、魚類Ａを取り出すようになっている。なお、捕獲魚取り出し口は、円形でなくてもよく、３角形、４角形、５角形以上の多角形で形成してもよく、その対角線又は最大長が、１０〜５０ｃｍ程度に形成されるのが好ましい。また、袋体２３は、クリップ２３ａ以外の閉塞部材で開閉可能としてもよく、また、袋体２３を結んで閉塞してもよい。
【００１７】
図４に示すように、住処形成部材１７は、例えば、貫通孔２４が設けられた複数の石材２５を備え、例えば、ワイヤ２６を貫通孔２４に通して連結して形成されている。ここで、石材２５の最大幅は２５〜４０ｃｍ程度であって、水中に沈めた際に隣り合う石材２５の隙間によって魚類Ａの住処が形成される。更に、住処形成部材１７のワイヤ２６の両端部には、ステンレスの線材で形成された第２の引上げ綱部材１８が接続されている。なお、石材２５を連結するものとしてワイヤ２６を用いたが、鎖、ロープ、チェーン、及び線材のいずれか１を用いることもでき、石材に貫通孔を設けることなく、例えば、石材に環状体を取付け、この環状体にワイヤ等を通して連結してもよい。また、住処形成部材を、石材以外に、石状物や沈むものであれば発泡体を使用して形成してもよい。
【００１８】
また、住処形成部材１７には、魚類Ａを集めるための餌箱２７が設けられており、大量の魚類Ａをおびき寄せ易くなっている。図５（Ａ）に示すように、餌箱２７は、上部が開放となって、側面に複数の貫通孔２８を備え、内部には餌２９が入れられた円筒状の餌箱本体３０と、上部に配置される蓋体３１とを備えている。餌箱２７の外側にいる魚類Ａは、貫通孔２８から餌箱２７内の餌２９を食べたり、貫通孔２８から餌箱２７外に出た餌２９を食べることができる。なお、餌箱の代わりに、網状に形成された袋体に餌を入れたものを使用してもよい。
【００１９】
また、図５（Ｂ）、（Ｃ）に示す餌箱２７ａも使用できる。餌箱２７ａは、上部が開放となって、側面に複数の貫通孔２８ａを備え、内部には餌２９が入れられた円筒状の餌箱本体３０ａと、上部に配置される蓋体３１ａとを備えている。更に、貫通孔２８ａには、貫通孔２８ａから餌箱本体３０ａの内側に向かって、その開口の長さが減少する漏斗状に形成された筌（せん）２８ｂが取付けられている。なお、筌２８ｂは、いわゆる鰻筌と同じ形状となっており、餌箱に１又は複数、通常では４〜８つ設けられている。餌箱２７ａを平面視した際の最大長さ（この場合、直径）は、高さｈ（例えば、３０〜４０ｃｍ）に対し、その２倍（６０〜８０ｃｍ）くらいがよい。なお、餌箱は、円筒状に限らず、角柱状、円錐状、角錐状としてもよい。
【００２０】
ここで、魚類Ａは、貫通孔２８ａから筌２８ｂを介して餌箱２７ａ内に侵入し、餌箱２７ａ内の餌２９を食べることができるが、筌２８ｂから餌箱２７ａ外に出ることができなくなっている。また、餌箱本体３０ａには、図示していないが、魚類Ａが通過できない大きさの通水孔が１又は複数設けられている。なお、餌箱２７ａを単独で使用する場合、餌箱２７ａの内部に石や鉛等の重しを入れてもよいし、設置場所近傍に杭を立てて、これに餌箱２７ａを固定してもよい。
【００２１】
図１及び図２に示すように、第１及び第２の引上げ綱部材１６、１８の上端部は、第３のリング状部材３２に取付けられて、第１の引上げ綱部材１６と第２の引上げ綱部材１８とが連結されており、リング状部材３２を引き上げることにより、大型網材１５と住処形成部材１７を同時に引き上げることができるので、引き上げ操作がし易くなる。更に、リング状部材３２には、ロープ３３を介してフロート３４が取付けられ、大型網材１５の位置が確認し易くなっている。
【００２２】
次に、魚類捕獲装置１０を使用した魚類の捕獲方法について説明する。
まず、図１及び図２のように、大型網材１５を広げて水底Ｂに設置する。大型網材１５の内側部２０の中央に餌箱２７を配置し、その周囲に石材２５を連結した住処形成部材１７を配置する。フロート３４が水面Ｃに浮かぶようにロープ３３の長さを調整しておく。この状態で、住処形成部材１７の石材２５の隙間に魚類Ａが潜入するまで放置した後、図６に示すように、リング状部材３２に図示しないクレーン車に設けられたフック３５をかけて、リング状部材３２を吊り上げて、大型網材１５を引き上げる。この際には、住処形成部材１７は袋状となった大型網材１５内に配置されて、更に住処形成部材１７の下部と大型網材１５の下部との間には隙間が形成され、その隙間から魚類Ａは、大型網材１５の内側部２０の中央に設けられた捕獲魚取り出し口１４から袋体２３へ送られる。袋体２３を閉塞するクリップ２３ａを取り外して、魚類Ａを捕獲する。
【００２３】
また、図７に示すように、大型網材１５の外側に所定の間隔で立設し、上部を連結した複数、例えば３本の柱部材３６で形成された三脚３７の上部に取付けた電動ホイスト３８に連結したフック３９によって、魚類捕獲装置１０を引き上げることもできる。ここで、電動ホイスト３８は、図示しない電動機、減速装置、及びドラム等を小さく一体にまとめた巻上装置である。
【００２４】
図８〜図１０を参照して、本考案の第２の実施の形態に係る魚類捕獲装置４０について説明する。なお、魚類捕獲装置１０と同一の構成要素については同一の番号を付してその詳しい説明を省略する。
魚類捕獲装置４０は、重り材４１が掛止部１３の第２のリング状部材２２にワイヤ４２を介して接続されている点、リング状部材２２にそれぞれ取付けられる第１の引上げ綱部材４３の中間部に第４のリング状部材４４が設けられ、リング状部材４４には、ロープ４５を介してフロート４６が取付けられている点、及び、隣り合うリング状部材４４はそれぞれロープ４７によって連結されている点が、魚類捕獲装置１０と異なっている。フロート４６が大型網材１５の周囲に設けられているので、大型網材１５の位置が確認し易くなっている。
【００２５】
次に、魚類捕獲装置４０を使用した魚類の捕獲方法について説明する。
図８及び図９に示すように、大型網材１５を広げて水底Ｂに配置する。大型網材１５の内側部２０の中央に餌箱２７を配置し、その周囲に石材２５を連結した住処形成部材１７を配置する。フロート４６が水面Ｃに浮かぶようにロープ４５の長さをそれぞれ調整しておく。この状態で、住処形成部材１７の石材２５の隙間に魚類Ａが潜入するまで放置する。その後、図１０に示すように、第３のリング状部材３２にフック３５をかけて、魚類捕獲装置４０を引き上げて、魚類Ａを捕獲魚取り出し口１４から袋体２３へ送り、クリップ２３ａを取り外して、魚類Ａを袋体２３から排出して捕獲する。
【００２６】
図１１〜図１３を参照して、本考案の第３の実施の形態に係る魚類捕獲装置５０について説明する。なお、魚類捕獲装置１０、４０と同一の構成要素については同一の番号を付してその詳しい説明を省略する。
図１１及び図１２に示すように、魚類捕獲装置５０は、大型網材１５の上に捕獲された魚類Ａが通過する目の粗い網材（以下、粗網材ともいう）５１が配置され、その上に住処形成部材１７が配置されている点が魚類捕獲装置４０と異なっている。以下、粗網材５１について、詳しく説明する。
【００２７】
粗網材５１は、直径が大型網材１５よりも小さく、例えば、３ｍの円形となって、その周縁部５２は、図示しない鋼線で補強されている。また、粗網材５１の内側部５３には、例えば、ナイロン製の繊維を縦方向及び横方向に配置して、魚類Ａが通過可能な、例えば、５〜１５ｃｍ（本実施の形態では、８ｃｍ）の開口５４を形成している。
粗網材５１の周縁部５２には、所定の間隔を有して、例えば、周縁部５２に取付けられる第５のリング状部材５５と、第５のリング状部材５５に取付けられる第６のリング状部材５６とによって形成される掛止部５７が８つ設けられている。なお、粗網材５１は、円形でなくてもよく、３角形、４角形、５角形以上の多角形で形成してもよく、その対角線又は最大長が、大型網材１５よりも小さく形成されるのが好ましい。
【００２８】
ここで、第６のリング状部材５６には、ワイヤ５８を介して重り材５９が接続されている。更に、第６のリング状部材５６には、第３の引上げ綱部材６０の下端部が連結されている。各引上げ綱部材６０の上端部は、第３のリング状部材３２に取付けられている。また、引上げ綱部材６０の中間部には、第７のリング状部材６１が設けられ、リング状部材６１には、ロープ６２を介してフロート６３が取付けられると共に、隣り合うリング状部材６１はそれぞれロープ６４によって連結されている。
【００２９】
次に、魚類捕獲装置５０を使用した魚類の捕獲方法について説明する。
図１１及び図１２示すように、大型網材１５を広げて水底Ｂに配置し、更にその上部に粗網材５１を広げて配置し、粗網材５１の中央に餌箱２７を配置し、その周囲に石材２５を連結した住処形成部材１７を配置する。フロート４６、６３が水面Ｃに浮かぶようにロープ４５、６２の長さをそれぞれ調整する。この状態で、住処形成部材１７の石材２５の隙間に魚類Ａが潜入するまで放置した後、図１３に示すように、リング状部材３２に図示しないクレーン車に設けられたフック３５をかけて、リング状部材３２を吊り上げて、魚類捕獲装置５０を引き上げる。この際には、住処形成部材１７に潜入している魚類Ａは、粗網材５１の大きな網目を通過して、その下方の大型網材１５で受け止められ、その中央の捕獲魚取り出し口１４から袋体２３に入り、捕獲される。
なお、第３の引上げ綱部材６０が十分な強度を有している場合には、住処形成部材１７に取付けた第２の引上げ綱部材１８は必要ではない。
【００３０】
本考案は、前記した実施の形態に限定されるものではなく、本考案の要旨を変更しない範囲での変更は可能であり、例えば、前記したそれぞれの実施の形態や変形例の一部又は全部を組み合わせて本考案の魚類捕獲装置を構成する場合も本考案の権利範囲に含まれる。
例えば、前記実施の形態の魚類捕獲装置において、大型網材の形状を円形としたが、３角形、４角形、５角形以上の多角形としてもよく、その際には対角線、又は最大長を３〜２５ｍ、好ましくは、５〜１５ｍに形成するのが好ましい。
【図面の簡単な説明】
【００３１】
【図１】本考案の第１の実施の形態に係る魚類捕獲装置の平面図である。
【図２】同魚類捕獲装置の側面図である。
【図３】同魚類捕獲装置の大型網材の説明図である。
【図４】同魚類捕獲装置の住処形成部材の説明図である。
【図５】（Ａ）は同魚類捕獲装置の餌箱の説明図、（Ｂ）、（Ｃ）はそれぞれ変形例に係る餌箱の側面図、平断面図である。
【図６】同魚類捕獲装置の引き上げ方法の説明図である。
【図７】同魚類捕獲装置の別の引き上げ方法の説明図である。
【図８】本考案の第２の実施の形態に係る魚類捕獲装置の平面図である。
【図９】同魚類捕獲装置の側面図である。
【図１０】同魚類捕獲装置の引き上げ時の側面図である。
【図１１】本考案の第３の実施の形態に係る魚類捕獲装置の平面図である。
【図１２】同魚類捕獲装置の側面図である。
【図１３】同魚類捕獲装置の引き上げ時の説明図である。
【符号の説明】
【００３２】
１０：魚類捕獲装置、１１：開口、１２：重り材、１３：掛止部、１４：捕獲魚取り出し口、１５：大型網材、１６：第１の引上げ綱部材、１７：住処形成部材、１８：第２の引上げ綱部材、１９：周縁部、２０：内側部、２１：第１のリング状部材、２２：第２のリング状部材、２３：袋体、２３ａ：クリップ、２４：貫通孔、２５：石材、２６：ワイヤ、２７、２７ａ：餌箱、２８、２８ａ：貫通孔、２８ｂ：筌、２９：餌、３０、３０ａ：餌箱本体、３１、３１ａ：蓋体、３２：第３のリング状部材、３３：ロープ、３４：フロート、３５：フック、３６：柱部材、３７：三脚、３８：電動ホイスト、３９：フック、４０：魚類捕獲装置、４１：重り材、４２：ワイヤ、４３：第１の引上げ綱部材、４４：第４のリング状部材、４５：ロープ、４６：フロート、４７：ロープ、５０：魚類捕獲装置、５１：目の粗い網材（粗網材）、５２：周縁部、５３：内側部、５４：開口、５５：第５のリング状部材、５６：第６のリング状部材、５７：掛止部、５８：ワイヤ、５９：重り材、６０：第３の引上げ綱部材、６１：第７のリング状部材、６２：ロープ、６３：フロート、６４：ロープ
【図１】
0003121845.tif 000003
【図２】
0003121845.tif 000004
【図３】
0003121845.tif 000005
【図４】
0003121845.tif 000006
【図５】
0003121845.tif 000007
【図６】
0003121845.tif 000008
【図７】
0003121845.tif 000009
【図８】
0003121845.tif 000010
【図９】
0003121845.tif 000011
【図１０】
0003121845.tif 000012
【図１１】
0003121845.tif 000013
【図１２】
0003121845.tif 000014
【図１３】
0003121845.tif 000015
【手続補正書】
【提出日】平成18年3月15日(2006.3.15)
【手続補正１】
【補正対象書類名】実用新案登録請求の範囲
【補正対象項目名】全文
【補正方法】変更
【補正の内容】
【実用新案登録請求の範囲】
【請求項１】
開口が１〜５ｍｍとなって、周囲には重り材及び掛止部を備え、中央部には捕獲魚取り出し口を有する大型網材と、
前記掛止部にその下端部が連結される第１の引上げ綱部材と、
前記大型網材内に配置され水中に沈んで魚類の住処を形成する住処形成部材と、
前記住処形成部材を纏めて引き上げる第２の引上げ綱部材とを有し、
しかも、前記大型網材及び前記住処形成部材を引き上げた場合、前記住処形成部材は袋状となった前記大型網材内に配置されて、更に前記住処形成部材の下部と前記大型網材の下部との間には隙間が形成されていることを特徴とする魚類捕獲装置。
【請求項２】
請求項１記載の魚類捕獲装置において、前記住処形成部材は、鎖、ロープ、ワイヤ、チェーン及び線材のいずれか１を用いて連結された複数の石材又は石状物であることを特徴とする魚類捕獲装置。
【請求項３】
請求項１又は２記載の魚類捕獲装置において、前記住処形成部材は、捕獲された前記魚類が通過する目の粗い網材中に配置されていることを特徴とする魚類捕獲装置。
【請求項４】
請求項１〜３のいずれか１項に記載の魚類捕獲装置において、前記住処形成部材には、前記魚類を集めるための餌箱が設けられていることを特徴とする魚類捕獲装置。
【請求項５】
請求項１〜４のいずれか１項に記載の魚類捕獲装置において、前記第１の引上げ綱部材と、前記第２の引上げ綱部材とは連結されていることを特徴とする魚類捕獲装置。
【請求項６】
請求項１〜５のいずれか１項に記載の魚類捕獲装置において、前記大型網材の周囲にはロープを介してフロートが設けられていることを特徴とする魚類捕獲装置。
【請求項７】
請求項１〜６のいずれか１項に記載の魚類捕獲装置において、前記魚類はウナギであることを特徴とする魚類捕獲装置。